(57)【要約】      （修正有）【課題】庫内に配置するだけで庫内の環境状態を改善することができる冷蔵庫を提供する。【解決手段】冷蔵庫１は、複数の貯蔵室（３ないし７）と、冷却器１４と、冷却器１４からの冷気を複数の貯蔵室に送るファン４０と、ファン４０により送られた冷気を通して複数の貯蔵室に送る冷気通路３７を備えた冷蔵庫であり、貯蔵室である野菜室４内に配置されて引出し可能な容器１０と、庫内の環境を調整するための庫内環境調整材を収容して、庫内環境調整材の成分を外部に放出する孔を有するケース５０とを備え、ケース５０を容器１０の内部に向けて、着脱可能に配置している。【選択図】図１
2018109510.tif 000002
【特許請求の範囲】
【請求項１】
複数の貯蔵室と、冷却器と、前記冷却器からの冷気を前記複数の貯蔵室に送るファンと、前記ファンにより送られた前記冷気を通して前記複数の貯蔵室に送る冷気通路と、を備えた冷蔵庫であって、
前記貯蔵室である野菜室内に配置されて引出し可能な上側容器部と下側容器部と、
庫内の環境を調整するための庫内環境調整材を収容し、且つ孔を有するケースと、を備え、
前記ケースを前記上側容器部の前面壁部に沿って配置し、
前記ケースに設けられた孔に対面する位置に前記前面壁部の孔が設けられることを特徴
とする冷蔵庫。
【請求項２】
前記ケースの、前記前面壁部に対面する側面とは反対側の側面に、前記ケースの前記孔とは異なる孔が設けられていることを特徴とする請求項１記載の冷蔵庫。
【発明の詳細な説明】
【技術分野】
【０００１】
本発明の実施の形態は、冷蔵庫に関する。
【背景技術】
【０００２】
冷蔵庫は、貯蔵室に貯蔵された食品の長期保存を目的に、種々の細菌に対する除菌が要求されている。そこで、特許文献１に開示された冷蔵庫は、オゾン発生装置と、送風ファンを備えており、送風ファンを制御してオゾン発生装置と貯蔵室の空間との間のオゾンの流れを制御することで、オゾン発生装置からの高濃度のオゾンを広げて、除菌能力を高めている(特許文献１を参照)。
【先行技術文献】
【特許文献】
【０００３】
【特許文献１】特開２０１０−１２１８２１号
【発明の概要】
【発明が解決しようとする課題】
【０００４】
ところが、上記特許文献１に開示されている技術では、冷蔵庫の中に高価なオゾン発生装置を配置して、しかも送風ファンによる送風制御を行う必要があるので、除菌能力を高めるために冷蔵庫のコストアップを招いてしまう。
【０００５】
本発明は、上記に鑑みてなされたもので、その目的とするところは、庫内に配置するだけで庫内の環境状態を改善することができる冷蔵庫を提供することにある。
【課題を解決するための手段】
【０００６】
本発明の実施の形態の冷蔵庫は、複数の貯蔵室と、冷却器と、前記冷却器からの冷気を前記複数の貯蔵室に送るファンと、前記ファンにより送られた前記冷気を通して前記複数の貯蔵室に送る冷気通路と、を備えた冷蔵庫であって、前記貯蔵室である野菜室内に配置されて引出し可能な上側容器部と下側容器部と、庫内の環境を調整するための庫内環境調整材を収容し、且つ孔を有するケースと、を備え、前記ケースを前記上側容器部の前面壁部に沿って配置し、前記ケースに設けられた孔に対面する位置に前記前面壁部の孔が設けられることを要旨とする。
【図面の簡単な説明】
【０００７】
【図１】本発明の第１実施形態による冷蔵庫の内部構造を示す断面図である。
【図２】図１に示す野菜室の容器と、この容器の上方に配置されたケースの付近の構造例を示す図である。
【図３】本発明の冷蔵庫の第２実施形態の内部構造を示す断面図である。
【図４】図４（Ａ）は、この受け部分とケースと容器の一部分を拡大して示し、図４（Ｂ）は、この受け部分とは異なる形状例の受け部分を示す図である。
【図５】野菜室の容器の形状例を示す斜視図である。
【図６】本発明の冷蔵庫の第３実施形態の内部構造を示す断面図である。
【図７】図６に示すケースと容器を示す拡大図である。
【図８】本発明の冷蔵庫の第４実施形態の内部構造を示す断面図である。
【図９】図９（Ａ）は、図８に示すケースと容器を示す拡大図である。図９（Ｂ）は、図９（Ａ）に示すケースと容器の平面図である。
【図１０】本発明の冷蔵庫の第５実施形態の容器とケースを示す断面図である。
【図１１】本発明の冷蔵庫の第６実施形態を示す断面図である。
【図１２】図１１におけるケースが配置されている付近を示す拡大図である。
【発明を実施するための形態】
【０００８】
以下、図面を用いて、本発明の実施するための形態（以下、実施形態と称する）を説明する。
【０００９】
（第１実施形態）
本発明の第１実施形態による冷蔵庫の内部構造を示す断面図である。
【００１０】
図１に示す冷蔵庫１は、本体２を有し、この本体２は断熱箱体２Ａを有する。この断熱箱体２Ａは、縦長の矩形の箱であり、断熱箱体２Ａの前面側が開口されている。断熱箱体２Ａ内には、複数の貯蔵室が設けられている。複数の貯蔵室としては、具体的には、上段から下段にいくに従って、冷蔵室３と、野菜室４と、製氷室５と小冷凍室６と、そして冷凍室７が設けられている。断熱箱体２Ａは、金属製の外箱と、合成樹脂製の内箱との間に断熱材を配置した構成になっている。
【００１１】
図１に示す冷蔵室３と野菜室４は、いずれも冷蔵温度帯の貯蔵室であり、冷蔵室３と野菜室４の間には、プラスチック製の仕切壁８が設けられている。
【００１２】
冷蔵室３の前面には、ヒンジ開閉式の断熱扉３Ａが設けられ、野菜室４の前面には、引出し式の断熱扉４Ａが設けられている。冷蔵室３の内部は、複数の棚板３Ｃにより上下に複数段に区切られている。冷蔵室３の内部の下側には、チルド室３Ｂが設けられている。
【００１３】
断熱扉４Ａの内面側には、容器（貯蔵容器）１０が固定されており、容器１０は野菜室４内に収容されている。断熱扉４Ａとともに容器１０を野菜室４内から引き出すことができる。冷蔵室３の温度は、例えば１〜５℃であり、野菜室４の温度は、例えば２〜６℃であるが、特に限定されない。
【００１４】
図１に示す製氷室５と小冷凍室６と冷凍室７は、いずれも冷凍温度帯（例えば−１８℃位）の貯蔵室であり、冷蔵室３と野菜室４と、製氷室５と小冷凍室６と冷凍室７とは、断熱仕切壁９により区分けされている。
【００１５】
製氷室５と小冷凍室６の前面には、それぞれ引出し式の断熱扉５Ａ，６Ａが設けられている。断熱扉５Ａの内面には、貯氷容器１１が固定され、断熱扉６Ａの内面には、図示しない容器が固定されている。冷凍室７の前面には、引出し式の断熱扉７Ａが設けられている。冷凍室７には、容器１２，１３が配置されているが、この断熱扉７Ａの内面には、容器１３が固定されている。
【００１６】
図１に示すように、断熱箱体２Ａは、冷凍サイクルを構成する冷蔵用冷却器１４と、冷凍用冷却器１５を有している。この冷蔵用冷却器１４は、冷蔵室３と野菜室４とチルド室３Ｂを冷却する。また、冷凍用冷却器１５は、製氷室５と小冷凍室６と冷凍室７を冷却する。断熱箱体２Ａの下部には、機械室１６が設けられ、機械室１６には、冷凍サイクルを構成する圧縮機１７および凝縮器等が配置されているとともに、冷却ファンや除霜水蒸発皿１８等が配置されている。断熱箱体２Ａの背部には、全体の動作を制御する制御部１９が配置されている。
【００１７】
図１に示すように、断熱箱体２Ａの背部には、冷凍用冷却器室２０が設けられている。この冷凍用冷却器室２０には、冷凍用冷却器１５と除霜用ヒータと冷凍用送風ファン２１が配置されている。冷凍用送風ファン２１が作動すると、冷凍用冷却器１５により生成された冷気は、冷気吹出し口２０Ａから製氷室５と小冷凍室６と冷凍室７に供給され、そして戻り口２０Ｂから冷凍用冷却室２０に戻される。これにより、製氷室５と小冷凍室６と冷凍室７が冷却される。
【００１８】
また、断熱箱体２Ａの背部には、冷蔵用冷却室３６が設けられている。この冷蔵用冷却室３６には、冷蔵用冷却器１４が配置されており、冷蔵用冷却室３６は、冷気通路３７に繋がっている。冷気通路３７の途中には、複数の冷気供給口３９が設けられている。
【００１９】
冷蔵用冷却室３６の下部であって、野菜室４の後方には、送風ダクト４２が設けられており、送風ダクト４２の中には、好ましくは２つの冷蔵用送風ファン４０，４１が設けられている。送風ダクト４２は吸い込み口４３を有している。１つの冷蔵用送風ファン４０だけ作動するか、２つの冷蔵用送風ファン４０，４１が同時に作動することにより、野菜室４内の冷気を吸い込み口４３から吸い込んで冷気を、冷蔵用冷却器１４に通した後、冷気通路３７とその複数の冷気供給口３９を通じて、冷蔵室３へ送って循環させるようになっている。
【００２０】
これにより、この冷蔵用冷却器１４により生成された冷気は、制御部１９の指令により、１つの冷蔵用送風ファン４０だけ作動するか、２つの冷蔵用送風ファン４０，４１が同時に作動することにより、冷気通路３７の複数の冷気供給口３９を通じて、Ｒ方向に沿って、冷蔵室３とそして野菜室４に供給される。２つの冷蔵用送風ファン４０，４１を装備することにより、１つのファンを設けるのに比べて、送風能力を増大させることができる。従って、１つの送風ファンではなく、複数の送風ファン４０，４１を配置することで、冷蔵庫１の断熱扉４Ａ，３Ａの閉塞時に、または野菜室４や冷蔵室３内における貯蔵物の収納量が変化（増加）した時には、複数の送風ファン４０，４１を同時に駆動するようになっている。
【００２１】
図２は、図１に示す野菜室４内の容器１０と、この容器１０の上方に着脱可能に配置されたケース５０の付近の構造例を示している。
【００２２】
図１に示すように、容器１０は、断熱扉４Ａを引き出すことで野菜室４内から引き出すことができる。図１と図２に示すように、この野菜室４の上部天井には、仕切壁８が設けられている。この仕切壁８には、ケース５０が、容器１０の内部に向くようにして、着脱可能に取り付けられている。すなわち、ケース５０は、容器１０の内部に対面している。
【００２３】
しかも、ケース５０の下面５２は、容器１０のフランジ部１０Ｒの最も上の部分１０Ｔに対して非接触になるように、ケース５０の下面５２と容器１０の最も上の部分１０Ｔとの間には、所定の間隔Ｄが設けられている。これにより、断熱扉４Ａを引き出すことで容器１０を野菜室４内から引き出す時と、逆に容器１０を野菜室４内に入れる時に、容器１０がケース５０に当たってしまうことが無く、ケース５０が配置されているにもかかわらず、容器１０をスムーズに出し入れできる。
【００２４】
図２に示すように、このケース５０の内部には、庫内環境調整材Ｍを収容している。このケース５０は、例えばプラスチックで作られた直方体状の箱部材である。このケース５０は、庫内環境調整材Ｍの成分Ｈを、ケース５０の外部に放出するための孔５１を有している。
【００２５】
このケース５０は、野菜室４の天井部分である仕切壁８に対して、着脱可能に取り付けられている。仕切壁８は取付用部材５４を有し、この取付用部材５４には、取付用の凹部５３が設けられており、ケース５０はこの凹部５３に差し込んで固定されている。
【００２６】
これにより、ケース５０内に配置されている庫内環境調整材Ｍの成分Ｈは、ケース５０の孔５１を通じて、野菜室４内と容器１０の上部開口１０Ｐに向けて確実に供給することができる。
【００２７】
図２に示す庫内環境調整材Ｍとしては、湿度調整剤、除菌脱臭剤、あるいはワサビを採用することができる。湿度調整剤としては、例えば活性炭等を採用でき、除菌脱臭剤としては、樹脂部材に脱臭剤を添加したものを採用でき、脱臭剤としては、例えばマンガン、銀、銅、プラチナ、酸化チタン、カテキン等の少なくとも１つを採用できる。
【００２８】
ワサビの辛味成分は、芥子菜（カラシナ）等、アブラナ科の植物が多く含むからし油配糖体（グルコシノレート）の一種のシニグリンが、すりおろされる過程で酸素にふれ、細胞にある酵素と反応することにより生成されるアリルイソチオシアネート等であり、強い抗菌、抗カビ作用、殺菌作用がある。
【００２９】
これにより、図１と図２に示すように、野菜室４の天井側である仕切壁８にケース５０を着脱可能に取り付けることにより、ケース５０内に配置されている庫内環境調整材Ｍの成分Ｈは、ケース５０の孔５１を通じて、野菜室４内と容器１０の上部開口１０Ｐから、容器１０の内部に供給することができる。
【００３０】
しかも、図１に示す制御部１９の指令により、送風ダクト４２の中の２つの冷蔵用送風ファン４０，４１が同時に作動することにより、野菜室４内の冷気を吸い込み口４３から吸い込んで、冷気が冷蔵用冷却器１４に通した後、冷気は、冷気通路３７とその複数の冷気供給口３９を通じて、冷蔵室３と野菜室４側へ送って循環できる。このように２つの冷蔵用送風ファン４０，４１を装備することにより、１つのファンを設けるのに比べて、送風能力を増大させることができる。このため、ケース５０内に配置されている庫内環境調整材Ｍの成分Ｈを、ケース５０の孔５１を通じて放出する際に、庫内環境調整材Ｍの成分Ｈの放出が促進できる。しかも、庫内環境調整材Ｍの成分Ｈは、冷気通路３７を通じて冷蔵室３と野菜室４内への供給を促進できる。
【００３１】
本発明の第１実施形態の冷蔵庫１は、庫内の環境を調整するための庫内環境調整材Ｍを収容して、庫内環境調整材Ｍの成分Ｈを外部に放出する孔５１を有するケース５０を備え、ケース５０を容器１０の内部に向けて、着脱可能に配置しているので、ケース５０を庫内に配置するだけで庫内の環境状態を改善することができる。
【００３２】
次に、本発明の第２実施形態を含む各実施形態を順次説明するが、本発明の第２実施形態を含む各実施形態の構成要素が、本発明の第１実施形態の構成要素と同じである場合には、同じ符号を記してその説明を省略する。
【００３３】
（第２実施形態）
次に、図３ないし図５を参照して、本発明の冷蔵庫の第２実施形態を説明する。図３は、本発明の冷蔵庫の第２実施形態の内部構造を示す断面図である。
【００３４】
図３に示すように、ケース５０は、断熱扉４Ａの内側において着脱可能に保持されている。断熱扉４Ａの内側には、被係合部としての受け部分６０が設けられている。この受け部分６０は、ケース５０を着脱可能に受けて保持している。
【００３５】
図４（Ａ）は、図３に示すこの受け部分６０とケース５０と容器１０の一部分を拡大して示している。ケース５０は、庫内環境調整材Ｍの成分Ｈを、ケース５０の外部に放出するための孔５１を有している。容器１０の前面壁部１０Ｇには、孔（開口部）１０Ｈが設けられている。この孔１０Ｈは、好ましくはケース５０の孔５１に対面する位置に設けられている。これにより、ケース５０内に配置されている庫内環境調整材Ｍの成分Ｈは、ケース５０の孔５１を通じて野菜室４内に確実に供給でき、しかも容器１０の孔１０Ｈを通じて容器１０の内部に確実に供給することができる。
【００３６】
図４（Ｂ）は、この受け部分６０とは異なる形状例の受け部分６０Ａを示している。この例では、受け部材６０Ａは、ネジ６０Ｎを用いて断熱扉４Ａの内面に固定されている。
【００３７】
図５は、容器１０の形状例を示しており、容器１０の前面壁部１０Ｇには、複数の孔（開口部）１０Ｈが並べて設けられている。各孔１０Ｈは、例えば上下方向に沿った長孔になっている。これにより、ケース５０内に配置されている庫内環境調整材Ｍの成分Ｈは、ケース５０の孔５１と容器１０の孔１０Ｈを通じて、容器１０の内部に分散して均等になるように、確実に供給することができる。
【００３８】
本発明の第２実施形態の冷蔵庫１では、庫内の環境を調整するための庫内環境調整材Ｍを収容して、庫内環境調整材Ｍの成分Ｈを外部に放出する孔５１を有するケース５０を備え、ケース５０を容器１０の内部に向けて庫内環境調整材Ｍの成分Ｈを放出できるように、着脱可能に配置しているので、ケース５０を庫内に配置するだけで庫内の環境状態を改善することができる。
【００３９】
（第３実施形態）
次に、図６と図７を参照して、本発明の冷蔵庫の第３実施形態を説明する。図６は、本発明の冷蔵庫の第３実施形態の内部構造を示す断面図である。図７は、図６に示すケース５０と容器１０を示す拡大図である。
【００４０】
図６に示すように、ケース５０は、断熱扉４Ａ側ではなく、野菜室４の容器１０の前面壁部１０Ｇ側において、着脱可能に配置されている。図６と図７に示すように、容器１０の前面壁部１０Ｇには、受け部分１０Ｓが設けられており、この受け部分１０Ｓの上にケース５０が着脱可能に配置されている。図７に示すように、容器１０はフランジ１０Ｆを有しており、ケース５０は、容器１０のフランジ１０Ｆの下方の位置に配置されている。これにより、ケース５０は、容器１０のフランジ１０Ｆの下部にある隙間である空間部分に配置することができるので、ケース５０を配置するために、新たに野菜室４内に空間を確保する必要が無い。また、フランジ１０Ｆの下方に収まるように構成すると、より好ましい。
【００４１】
しかも、図７に示すように、容器１０の前面壁部１０Ｇには、複数の孔（開口部）１０Ｈが設けられている。これにより、ケース５０内に配置されている庫内環境調整材Ｍの成分Ｈは、ケース５０の孔５１と容器１０の孔１０Ｈを通じて、容器１０の内部と野菜室４内に分散して均等になるように、確実に供給することができる。
【００４２】
本発明の第３実施形態の冷蔵庫１では、庫内の環境を調整するための庫内環境調整材Ｍを収容して、庫内環境調整材Ｍの成分Ｈを外部に放出する孔５１を有するケース５０を備え、ケース５０を容器１０の孔１０Ｈを通じて容器１０の内部に向けて庫内環境調整材Ｍの成分Ｈを放出できるように、着脱可能に配置しているので、ケース５０を庫内に配置するだけで庫内の環境状態を改善することができる。
【００４３】
（第４実施形態）
次に、図８と図９を参照して、本発明の冷蔵庫の第４実施形態を説明する。図８は、本発明の冷蔵庫の第４実施形態の内部構造を示す断面図である。図９（Ａ）は、図８に示すケース５０と容器１０を示す拡大図である。図９（Ｂ）は、図９（Ａ）に示すケース５０と容器１０の平面図である。
【００４４】
図８と図９に示すように、野菜室４の容器１０は、上側容器部１０Ｍと下側容器部１０Ｎを有している。ケース５０は、上側容器部１０Ｍに配置されている。すなわち、上側容器部１０Ｍは、被係合部としての受け部分７０を有しており、この受け部分７０の上には、ケース５０が着脱可能に配置されている。上側容器部１０Ｍは、ケース５０に対応する位置、好ましくは後述するにケース５０の孔５１Ｍと孔の位置を一致させる位置に、孔（開口部）１０Ｈを有している。ケース５０は、庫内環境調整材Ｍの成分Ｈを、上側容器部１０Ｍと下側容器部１０Ｎに向けてそれぞれ放出するための、好ましくは複数個の孔５１Ｍ、５１Ｎを有している。これらの孔５１Ｍと、孔５１Ｎは、ケース５０の反対側の側面に形成されている。
【００４５】
これにより、ケース５０内の庫内環境調整材Ｍの成分Ｈは、孔５１Ｍと孔１０Ｈを通じて、上側容器部１０Ｍの内部に確実に供給できるとともに、庫内環境調整材Ｍの成分Ｈは、孔５１Ｎを通じて、下側容器部１０Ｎの内部に確実に供給できる。
【００４６】
図９（Ａ）と図９（Ｂ）には、容器１０の引出し方向Ｃが示されている。この引出し方向Ｃは、冷蔵庫１の前後方向である。図９（Ａ）と図９（Ｂ）に示すように、上側容器部１０Ｍは、下側容器部１０Ｎの内部に収まっている。下側容器部１０Ｎは、上から見て長方形状であるが、上側容器部１０Ｍは、長方形状ではなく、上側容器部１０Ｍは、引出し方向Ｃに沿った前後方向に凹部７５を有している。受け部材７０は、この上側容器部１０Ｍの凹部７５の空間領域を利用して、この凹部７５の空間領域に設けられており、受け部材７０の上にはケース５０が配置されている。
【００４７】
これにより、ケース５０と受け部材７０は、下側容器部１０Ｎの範囲内に収めることができるので、ケース５０を配置するために、新たに野菜室４内に空間を確保する必要が無い。
【００４８】
本発明の第４実施形態の冷蔵庫１では、庫内の環境を調整するための庫内環境調整材Ｍを収容して、庫内環境調整材Ｍの成分Ｈを外部に放出する孔５１Ｍ、５１Ｎを有するケース５０を備え、ケース５０を容器１０の上側容器部１０Ｍと下側容器部１０Ｎの内部にそれぞれ向けて庫内環境調整材Ｍの成分Ｈを放出できるように、着脱可能に配置しているので、ケース５０を庫内に配置するだけで庫内の環境状態を改善することができる。
【００４９】
受け部材７０は、上側容器部１０Ｍからフランジ状に突出して設けられるが、ケース５０を載置しない場合は、２リットルペットボトルを野菜室４の容器１０に収容できるように上方に揺動可能に、もしくは折りたたみ可能に、あるいは着脱可能に構成しても良い。また、図中にあって受け部材７０は、上側容器部１０Ｍの傾斜した側面もしくは曲面に設けられることから宙に浮いているように記載される。
【００５０】
（第５実施形態）
次に、図１０を参照して、本発明の冷蔵庫の第５実施形態を説明する。
【００５１】
図１０は、本発明の冷蔵庫の第５実施形態を示す断面図である。図１０に示す第５実施形態におけるケース５０の取付け例は、図９（Ａ）に示すケース５０の取付け例とは異なる。図１０では、ケース５０は、上側容器部１０Ｍの内部の底面１０Ｋに着脱可能に配置されている。この底面１０Ｋには、孔（開口部）１０Ｌを有している。ケース５０は、底面１０Ｋの孔１０Ｌに対応する位置に孔５１Ｅを有し、ケース５０の反対側には、複数の孔５１Ｆを有する。
【００５２】
これにより、ケース５０内の庫内環境調整材Ｍの成分Ｈは、ケース５０の孔５１Ｆを通じて、上側容器部１０Ｍ内に確実に供給できるのはもちろんのこと、ケース５０の孔５１Ｅと上側容器部１０Ｍの底面１０Ｋの孔１０Ｌを通じて、下側容器部１０Ｎの内部にも確実に供給できる。
【００５３】
本発明の第５実施形態の冷蔵庫１では、庫内の環境を調整するための庫内環境調整材Ｍを収容して、庫内環境調整材Ｍの成分Ｈを外部に放出する孔５１Ｅ、５１Ｆを有するケース５０を備え、ケース５０を容器１０の上側容器部１０Ｍの内部と下側容器部１０Ｎの内部に向けて庫内環境調整材Ｍの成分Ｈを放出できるように、着脱可能に配置しているので、ケース５０を庫内に配置するだけで庫内の環境状態を改善することができる。
【００５４】
（第６実施形態）
次に、図１１と図１２を参照して、本発明の冷蔵庫の第６実施形態を説明する。
【００５５】
図１１は、本発明の冷蔵庫の第６実施形態を示す断面図である。図１２は、図１１に示すケース５０が配置されている付近を示す拡大図である。
【００５６】
図１１と図１２に示すように、ケース５０は、野菜室４と、この野菜室４の上部に位置されている冷蔵室３と、の間の領域ＳＰにおいて、配置されている。図１２に示すように、冷蔵室３は、野菜室４に隣接している異なる種類の部屋（貯蔵室）であり、領域ＳＰには固定部材８０が設けられている。この固定部材８０には、被係合部としての受け部材８１が設けられており、ケース５０はこの受け部材８１に上に着脱可能に配置されている。このため、ケース５０は、予め空いている領域ＳＰに設けた受け部材８１に配置すればいいことから、ケース５０を配置するために、新たに野菜室４内に空間を確保する必要が無い。
【００５７】
これにより、ケース５０内の庫内環境調整材Ｍの成分Ｈは、ケース５０の孔５１を通じて、容器１０内に確実に供給できるとともに、冷蔵室３内にも開口部８０を通じて直接的に、確実に供給できる。
【００５８】
本発明の第６実施形態の冷蔵庫１では、庫内の環境を調整するための庫内環境調整材Ｍを収容して、庫内環境調整材Ｍの成分Ｈを外部に放出する孔５１を有するケース５０を備え、ケース５０を野菜室４内の容器１０の内部と冷蔵室３に向けて、着脱可能に配置しているので、ケース５０を庫内に配置するだけで庫内の環境状態を改善することができる。
【００５９】
以上、本発明の実施形態を説明したが、実施形態は、例として提示したものであり、発明の範囲を限定することは意図していない。新規な実施形態は、その他の様々な態様で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００６０】
図１に示す冷蔵庫１の構造は、一例であり、任意の構造を採用することができる。図示した本発明の実施形態では、野菜室は、冷蔵庫において冷蔵室の下部で冷凍室の上部に位置されているが、野菜室を最も下の位置に配置しても良い。冷蔵庫では、庫内環境調整材を収容している大きなサイズのケースを着脱可能に配置することができる。
【００６１】
冷蔵庫の貯蔵室の最も上部の天井の位置に、すなわち冷蔵室の天井の位置に、別のファンを配置することもできる。これにより、冷蔵庫の冷蔵室、野菜室、冷凍室等の貯蔵室における冷気の循環を、より効果的に行うことができる。
【符号の説明】
【００６２】
１      冷蔵庫
２      本体
２Ａ    断熱箱体
３      冷蔵室
３Ａ    断熱扉
４      野菜室
４Ａ    断熱扉
５      製氷室
６      小冷凍室
７      冷凍室
８      仕切壁（野菜室の天井部分）
１０    野菜室の容器
１０Ｇ  容器の前面壁部
１０Ｈ  容器の前面壁部の孔部分
１０Ｍ  上側容器部
１０Ｎ  下側容器部
１０Ｆ  容器のフランジ部
１４    冷却器
３７    冷気通路
４０，４１    ファン
５０    ケース
５１    ケースの孔
５３    野菜室の天井部分の凹部
６０    被係合部としての受け部分
Ｍ    庫内環境調整材
【図１】
2018109510.tif 000003
【図２】
2018109510.tif 000004
【図３】
2018109510.tif 000005
【図４】
2018109510.tif 000006
【図５】
2018109510.tif 000007
【図６】
2018109510.tif 000008
【図７】
2018109510.tif 000009
【図８】
2018109510.tif 000010
【図９】
2018109510.tif 000011
【図１０】
2018109510.tif 000012
【図１１】
2018109510.tif 000013
【図１２】
2018109510.tif 000014